(57)【要約】【課題】  マッサージ具において、３個以上のローラーを皮膚に容易に強く密着させて転接させ、強い揉みほぐし効果を得ること。【解決手段】  マッサージ具１００であって、隣接するローラー２１、２２の各回転軸線２１Ｃ、２２Ｃが平面視で互いに一定の角度αを介して斜交配置され、隣接するローラー２１、２２の各回転軸線２１Ｃ、２２Ｃが正面視で互いに一定の角度βを介して斜交配置され、３個以上の各ローラー２１、２２、２２のローラー面２３における架台１０から遠い側に位置する頂点Ｚ1、Ｚ2、Ｚ2の高さが他のローラーと異なるローラーを有し、最も高い頂点Ｚ2、Ｚ2と最も低い頂点Ｚ1との間に高さの差Ｈを有するもの。【選択図】  図１
2019097606.tif 000002
【特許請求の範囲】
【請求項１】
３個以上のローラーが回転可能な状態で架台に支持され、架台がマッサージ進み方向に移動され、各ローラーが皮膚に押圧されつつ回転して転接されるマッサージ具であって、
１つのローラーの回転軸線を含み、かつ架台の移動方向に沿う平面の平面視で、該回転軸線を具備するローラーと、このローラーに隣接するローラーの各回転軸線が互いに一定の角度αを介して斜交配置され、
１つのローラーの回転軸線を含み、かつ架台の移動方向に直交する正面の正面視で、該回転軸線を具備するローラーと、このローラーに隣接するローラーの各回転軸線が互いに一定の角度βを介して斜交配置され、
前記正面視で、３個以上の各ローラーのローラー面における架台から遠い側に位置する頂点の高さが他のローラーと異なるローラーを有し、最も高い頂点と最も低い頂点との間に高さの差Ｈを有するマッサージ具。
【請求項２】
前記αが１２０乃至１７０度である請求項１に記載のマッサージ具。
【請求項３】
前記βが２０乃至４０度である請求項１に記載のマッサージ具。
【請求項４】
前記Ｈが３乃至１２mmである請求項１に記載のマッサージ具。
【請求項５】
前記平面視で、隣接するローラーの各ローラー面が単一の曲率半径Ｒ1をなす円弧に接するように配置され、
前記正面視で、隣接するローラーの各ローラー面が単一の曲率半径Ｒ2をなす円弧に接するように配置される請求項１乃至４のいずれかに記載のマッサージ具。
【請求項６】
前記Ｒ1が１０乃至６０mm、Ｒ2が２０乃至８０mmである請求項５に記載のマッサージ具。
【請求項７】
前記ローラーが外径Ｄの球に内接する多面体からなる請求項１乃至６のいずれかに記載のマッサージ具。
【請求項８】
前記Ｄが１５乃至４０mmである請求項７に記載のマッサージ具。
【請求項９】
前記隣接するローラーの最短間隔Ｇが３乃至１５mmである請求項１乃至８のいずれかに記載のマッサージ具。
【発明の詳細な説明】
【技術分野】
【０００１】
本発明はマッサージ具に関する。
【背景技術】
【０００２】
マッサージ具として、特許文献１に記載の如く、複数個のローラーが回転可能な状態で架台（ローラー支持枠）に支持され、架台がマッサージ進み方向に移動され、各ローラーが皮膚に押圧されつつ回転して転接され、皮膚、筋肉等に各ローラーの押圧力を作用させてマッサージするものがある。
【０００３】
特許文献１に記載のマッサージ具は、１つのローラーの回転軸線を含み、かつ架台の移動方向に沿う平面の平面視で、隣接するローラーの回転軸線が互いに一定の角度αを介して斜交配置されるものに相当している。
【０００４】
そして、このような特許文献１に記載のマッサージ具では、複数個のローラーの押圧効果のみでなく、隣接するローラーが皮膚を押圧しつつ回転することによって、それらの各ローラーが転接することとなる皮膚、筋肉等に、各ローラーの正方向への回転時には互いに接近させるように絞る絞り込み力や、各ローラーの逆方向への回転時には互いに離れる方向に引張る引張力が作用し、揉みほぐし効果を得ることができるとしている。
【先行技術文献】
【特許文献】
【０００５】
【特許文献１】特開2005-205073号公報
【発明の概要】
【発明が解決しようとする課題】
【０００６】
しかしながら、特許文献１に記載のマッサージ具では、顔や腕のように複雑に湾曲している皮膚に複数個のローラーの全てを同時に強く密着させて転接させ難く、強い揉みほぐし効果を得ることに困難がある。
【０００７】
本発明の課題は、マッサージ具において、３個以上のローラーを皮膚に容易に強く密着させて転接させ、強い揉みほぐし効果を得ることにある。
【課題を解決するための手段】
【０００８】
請求項１に係る発明は、３個以上のローラーが回転可能な状態で架台に支持され、架台がマッサージ進み方向に移動され、各ローラーが皮膚に押圧されつつ回転して転接されるマッサージ具であって、１つのローラーの回転軸線を含み、かつ架台の移動方向に沿う平面の平面視で、該回転軸線を具備するローラーと、このローラーに隣接するローラーの各回転軸線が互いに一定の角度αを介して斜交配置され、１つのローラーの回転軸線を含み、かつ架台の移動方向に直交する正面の正面視で、該回転軸線を具備するローラーと、このローラーに隣接するローラーの各回転軸線が互いに一定の角度βを介して斜交配置され、前記正面視で、３個以上の各ローラーのローラー面における架台から遠い側に位置する頂点の高さが他のローラーと異なるローラーを有し、最も高い頂点と最も低い頂点との間に高さの差Ｈを有するようにしたものである。
【発明の効果】
【０００９】
本発明によれば、マッサージ具において、３個以上のローラーを皮膚に容易に強く密着させて転接させ、強い揉みほぐし効果を得ることができる。
【図面の簡単な説明】
【００１０】
【図１】図１はマッサージ具をローラーの側から視て示す斜視図である。
【図２】図２はマッサージ具をローラーの側から視て示す平面図である。
【図３】図３はマッサージ具を示す正面図である。
【図４】図４はマッサージ具によるマッサージ作用を説明するための模式図である。
【発明を実施するための形態】
【００１１】
本発明の一実施形態であるマッサージ具１００は、図１乃至図３に示す如く、架台１０に３個のローラー２０を回転可能な状態で支持する。３個のローラー２０は硬質もしくは軟質のプラスチック、又はゴム等の多少弾力性があり摩擦抵抗のある材料、あるいはステンレス、アルミニウム等の金属から構成できる。また、ローラー２０は、ステンレス、アルミニウム等の金属又はプラスチックが、白金、チタン、クロム等でメッキ又はコーティングされた構成とすることもできる。
【００１２】
本実施形態において、３個のローラー２０は、１個の中央ローラー２１とその両側の２個の両側ローラー２２、２２からなる。各ローラー２１、２２、２２は、概ね球状の同一形態からなるものとされ、具体的には、外径Ｄの球に内接する例えば３５２面体の多面体をなすローラー面２３（多面体の１つ１つの面を指すものでなく、多面体の全部の面を含む表面を意味する）を備えるものとされている。但し、各ローラー２１、２２、２２は互いに同一形態をなすものであることを必須としない。
【００１３】
また、各ローラー２１、２２、２２は、架台１０に設けた中央支持部３１、両側支持部３２、３２のそれぞれに支持され、それらの回転軸線２１Ｃ、２２Ｃ、２２Ｃまわりに回転可能に支持される。
【００１４】
マッサージ具１００は、使用者によって架台１０がマッサージ進み方向、即ち往復動方向に移動され、各ローラー２１、２２、２２が人の皮膚の表面に直接又は肌着を介して押圧されつつ、回転して転接され、マッサージに供される。使用者は、架台１０を片手で握ってマッサージするものに限らず、架台１０に取付け固定した把手を持って手の長さを越えた位置までマッサージすることもできる。
【００１５】
以下、マッサージ具１００が具備する特徴的構成とそれによるマッサージ作用を詳細に説明する。ここで、架台１０の移動方向Ｌ（往動方向をＬ1、復動方向をＬ2とする）に沿う方向をＸ方向とし、ローラー２１の回転軸線２１Ｃに沿う方向をＹ方向とし、架台１０の移動方向Ｌに直交する方向をＺ方向とするように座標軸をとり、図２に示したＸＹ面を以下に述べる「平面」とし、図３に示したＹＺ面を以下に述べる「正面」とする。
【００１６】
尚、マッサージ具１００の架台１０における各ローラー２１、２２、２２の支持部３１、３２、３２が設けられる面に対する反対側の面（使用状態における上面）には、操作方向を分かり易くするため、上記往動方向Ｌ1を示す矢印が設けられていても良い。
【００１７】
(a)マッサージ具１００は、図２、図４に示す如く、１つのローラー２０の回転軸線、本実施形態では中央ローラー２１の回転軸線２１Ｃを含み、かつ架台１０の移動方向Ｌに沿う平面（ＸＹ面）の平面視（図２）で、両側ローラー２２、２２が中央ローラー２１の両側に線対称をなすように配置され、該回転軸線２１Ｃを具備するローラー２１と、このローラー２１に隣接するローラー２２の各回転軸線２１Ｃ、２２Ｃが互いに一定の角度αを介して斜交配置されるものとした。尚、隣接するローラーの斜交角度αはマッサージ具１００の往動方向Ｌ1に対する反対側に臨んで鈍角をなしている。
【００１８】
これにより、マッサージ具１００が図４（Ａ）に示す往動方向Ｌ1に移動され、各ローラー２１、２２、２２が皮膚の各部を押圧しつつ正方向へ回転するとき、当該皮膚の体表部には各ローラー２１、２２、２２の押圧力が作用するとともに正方向への回転力Ｎ1a、Ｎ1bが作用する。このとき、隣接するローラー２１、２２のそれぞれが転接する皮膚に作用する正方向の回転力Ｎ1a、Ｎ1bは、各ローラー２１、２２の斜交角度αの存在によって、両ローラー２１、２２の中央側に向けて接近する方向へ向き、それらの皮膚や筋肉を互いに接近させるように絞る絞り込み力Ｆ1a、Ｆ1bとなって作用する。
【００１９】
また、マッサージ具１００が図４（Ｂ）に示す復動方向Ｌ2に移動され、各ローラー２１、２２、２２が皮膚の各部を押圧しつつ逆方向へ回転するとき、当該皮膚の体表部には各ローラー２１、２２、２２の押圧力が作用するとともに逆方向への回転力Ｎ2a、Ｎ2b（Ｎ1a、Ｎ1bに対する反対方向）が作用する。このとき、隣接するローラー２１、２２のそれぞれが転接する皮膚に作用する逆方向の回転力Ｎ2a、Ｎ2bは、各ローラー２１、２２の斜交角度αの存在によって、両ローラー２１、２２の中央側から離隔する方向へ向き、それらの皮膚や筋肉を互いに離間させるように引張る引張力Ｆ2a、Ｆ2bとなって作用する。
【００２０】
即ち、マッサージ具１００は、上述の往動により、もしくは復動により、又は往復動により、各ローラー２１、２２、２２が転接する皮膚や筋肉に押圧力を作用するとともに、隣接するローラー２１、２２が転接する皮膚や筋肉に絞り込み力Ｆ1a、Ｆ1bを作用し、もしくは引張力Ｆ2a、Ｆ2bを作用し、又は絞り込み力Ｆ1a、Ｆ1bと引張力Ｆ2a、Ｆ2bを交互に作用し、結果として、皮膚や筋肉に揉みほぐし効果を与える。
【００２１】
ここで、上記αは、皮膚への密着性及び適正な絞り込み力の観点から、好適には１２０乃至１７０度である。
【００２２】
(b)マッサージ具１００は、図３に示す如く、１つのローラー２０、本実施形態では中央ローラー２１の回転軸線２１Ｃを含み、かつ架台１０の移動方向Ｌに直交する正面（ＹＺ面）の正面視（図３）で、両側ローラー２２、２２が中央ローラー２１の両側に線対称をなすように配置され、該回転軸線２１Ｃを具備するローラー２１と、このローラー２１に隣接するローラー２２の各回転軸線２１Ｃ、２２Ｃが互いに一定の角度βを介して斜交配置される。
【００２３】
これにより、マッサージ具１００が移動され、各ローラー２１、２２、２２が複雑に湾曲している皮膚の各部を押圧しつつ回転するとき、各ローラー２１、２２、２２はそれらの回転軸線２１Ｃ、２２Ｃ、２２Ｃのそれぞれを対応する皮膚の各部に対して概ね平行又は可及的に平行配置して当該皮膚の体表部に強く密着して転接し、各ローラー２１、２２、２２の押圧力及び回転力を当該皮膚の体表部に作用する。従って、各ローラー２１、２２、２２がそれらの皮膚や筋肉に前述(a)の押圧力並びに絞り込み力Ｆ1a、Ｆ1b及び／又は引張力Ｆ2a、Ｆ2bを効果的に作用し、それらの皮膚や筋肉に強い揉みほぐし効果を与える。
【００２４】
ここで、上記βは、適正な絞込み力及び皮膚への密着性の観点から、好適には２０乃至４０度である。
【００２５】
(c)マッサージ具１００は、前記正面（ＹＺ面）の正面視（図３）で、３個の各ローラー２１、２２、２２のローラー面２３における架台１０から遠い側に位置する頂点Ｚ1、Ｚ2、Ｚ2の高さが他のローラーと異なるローラーを有する。本実施形態では、両側ローラー２２、２２のローラー面２３の頂点Ｚ2、Ｚ2が最も高い頂点を形成し、中央ローラー２１のローラー面２３の頂点Ｚ1が最も低い頂点を形成し、それらの頂点Ｚ1と頂点Ｚ2、Ｚ2の間に高さの差Ｈを有するものとしている。尚、架台１０から遠い方を高い、架台１０から近い方を低いとみなす。
【００２６】
これにより、マッサージ具１００が移動され、各ローラー２１、２２、２２が複雑に湾曲して凹凸状をなす皮膚の各部を押圧しつつ回転するとき、各ローラー２１、２２、２２のローラー面２３はそれらの頂点Ｚ1、Ｚ2、Ｚ2を対応する皮膚の凹凸状体表部の各部に強く密着して転接し、各ローラー２１、２２、２２の押圧力及び回転力を当該皮膚の体表部に作用する。従って、各ローラー２１、２２、２２がそれらの皮膚や筋肉に前述(a)の押圧力並びに絞り込み力Ｆ1a、Ｆ1b及び／又は引張力Ｆ2a、Ｆ2bを効果的に作用し、それらの皮膚や筋肉に強い揉みほぐし効果を与える。
【００２７】
ここで、上記Ｈは、適正な絞込み力及び皮膚への密着性の観点から、好適には３乃至１２mmとする。
【００２８】
(d)マッサージ具１００は、前記平面（ＸＹ面）の平面視（図２）で、隣接するローラー２１、２２、２２の各ローラー面２３が単一の曲率半径Ｒ1をなす円弧２４に接するように配置される。言い換えれば、中央ローラー２１と両側ローラー２２、２２とは、Ｘ方向の位置が異なって配置されている。
【００２９】
これにより、マッサージ具１００が移動され、各ローラー２１、２２、２２が複雑に湾曲している皮膚の各部を押圧しつつ回転するとき、各ローラー面２３が単一の曲率半径Ｒ1をなす円弧２４に接するように配置された各ローラー２１、２２、２２が皮膚の各部に対して強く密着して転接し、各ローラー２１、２２、２２の押圧力及び回転力を当該皮膚の体表部に作用する。従って、各ローラー２１、２２、２２がそれらの皮膚や筋肉に前述(a)の押圧力並びに絞り込み力Ｆ1a、Ｆ1b及び／又は引張力Ｆ2a、Ｆ2bを効果的に作用し、それらの皮膚や筋肉に強い揉みほぐし効果を与える。
【００３０】
ここで、上記Ｒ1は、皮膚への密着性及び適正な絞り込み力の観点から、好適には１０乃至６０mmとする。
【００３１】
(e)マッサージ具１００は、前記正面（ＹＺ面）の正面視（図３）で、隣接するローラー２１、２２、２２の各ローラー面２３が単一の曲率半径Ｒ2をなす円弧２５に接するように配置される。
【００３２】
これにより、各ローラー２１、２２、２２が皮膚の概ね円弧状をなす湾曲面の広い範囲に同時に密着して転接し、上述(a)乃至(d)の作用を効果的に得ることができる。
【００３３】
ここで、上記Ｒ2は、適正な絞込み力及び皮膚への密着性の観点から、好適には２０乃至８０mmとする。
【００３４】
(f)マッサージ具１００は、前記ローラー２１、２２、２２のローラー面２３が外径Ｄの球に内接する多面体からなる。
【００３５】
これにより、各ローラー２１、２２、２２の概ね球状をなすローラー面２３が皮膚や筋肉に対する押圧効果を高める。各ローラー２１、２２、２２の多面体をなすローラー面２３のエッジ部２３Ｅは皮膚や筋肉に対する絞り込み力Ｆ1a、Ｆ1b又は引張力Ｆ2a、Ｆ2bを高めるとともに、皮膚の組織に刺激を与え、マッサージ効果を高める。
【００３６】
ここで、上記Ｄは、押圧効果を発現できる皮膚や筋肉の適正な範囲の観点から、好適には１５乃至４０mmとする。
【００３７】
(g)マッサージ具１００は、前記隣接するローラー２１、２２の最短間隔Ｇを、押圧効果を発現できる皮膚や筋肉の適正な範囲の観点から、好適には３乃至１５mmとする。
【００３８】
尚、マッサージ具１００は、３個のローラー２０からなるものに限らず、４個、５個等の３個以上のローラー２０からなるものであれば良い。また、ローラー２０の数が偶数の場合、中央ローラー２１はＹ方向中心に対称に配置された２つのローラーとすることもできる。
【００３９】
また、マッサージ具１００を構成する各ローラー２０はそれらの形状、直径を互いに同一とすることを必須としない。また、各ローラー２０は、中央に配置されるローラー２０（例えば中央ローラー２１）の両側に他のローラー２０（例えば両側ローラー２２）が線対称をなすように配置されることを必須とせず、例えば中央ローラー２１の一方側に配置される一側のローラー２２が該中央ローラー２１に対してなす前述の斜交角度α、βをα1、β1とし、中央ローラー２１の他方側に配置される他側のローラー２２が該中央ローラー２１に対してなす前述の斜交角度α、βをα2（α2≠α1）、β2（β2≠β1）としても良い。
【００４０】
また、マッサージ具１００を構成する各ローラー２０のローラー面２３は、多面体をなすものに限らず、球面体をなすもの、円筒体等の各種回転体からなるものであっても良い。また、各ローラー２０のローラー面２３は、そのような回転体の表面の各所に凹部や凸部を備えることもできる。
【産業上の利用可能性】
【００４１】
本発明によれば、マッサージ具において、３個以上のローラーを皮膚に容易に強く密着させて転接させ、強い揉みほぐし効果を得ることができる。
【符号の説明】
【００４２】
１００  マッサージ具
１０  架台
２０、２１、２２  ローラー
２１Ｃ、２２Ｃ  回転軸線
２３  ローラー面
２４、２５  円弧
【図１】
2019097606.tif 000003
【図２】
2019097606.tif 000004
【図３】
2019097606.tif 000005
【図４】
2019097606.tif 000006